【手続補正書】
【提出日】平成18年7月4日(2006.7.4)
【手続補正１】
【補正対象書類名】特許請求の範囲
【補正対象項目名】全文
【補正方法】変更
【補正の内容】
【特許請求の範囲】
【請求項１】
中央処理装置と該中央処理装置にコンテンツの編集処理を行わせるためのプログラムとコンテンツとを格納する記憶装置と、表示装置及び入力部とのインターフェイス部と、を有し、ある部品に対して別の部品を画面上において貼り付けることにより、部品同士の処理を関連付けすることができるアプリケーションシステムを用いたコンテンツ編集方法であって、
コンテンツに関する処理を開始するためのコンテンツ処理開始ボタン部品を前記表示装置の画面に表示させるステップと、
升目毎に順序が定義付けされた複数の升目を有する台紙部品を前記表示装置の画面に表示させるステップと、
前記入力部を用い前記表示装置の画面上において前記コンテンツ処理開始ボタン部品を前記升目に対して貼り付けていく動作に応じてコンテンツに関する一連の処理が前記順序に沿って実行されるように、前記コンテンツ処理開始ボタン部品と前記升目毎の順序との関連付けを前記記憶装置に記憶させるステップと
を含むコンテンツ編集方法。
【請求項２】
前記升目毎に定義付けされた順序は、１つの升目を基準とした規則性を有する順序であることを特徴とする請求項１に記載のコンテンツ編集方法。
【請求項３】
同じ升目に貼り付けられた２以上の前記コンテンツ処理開始ボタン部品はグループ化されて同時に実行されることを特徴とする請求項１又は２に記載のコンテンツ編集方法。
【請求項４】
さらに、属性値を変更又は取得する属性値ボタン部品群を前記表示装置の画面に表示させるステップと、
該属性値ボタン部品群中から複数の属性値を選択し、前記升目上に前記入力部を用いて貼り付ける動作に応じて関連する属性を一括変換するステップと
を含む請求項１から３までのいずれか１項に記載のコンテンツ編集方法。
【請求項５】
中央処理装置と該中央処理装置にコンテンツの編集処理を行わせるためのプログラムとコンテンツとを格納する記憶装置と、表示装置及び入力部とのインターフェイス部と、を有し、ある部品に対して別の部品を画面上において貼り付けることにより、部品同士の処理を関連付けすることができるアプリケーションシステムを用いたコンテンツ編集方法であって、
コンテンツに関する処理を開始するためのコンテンツ処理開始ボタン部品を前記表示装置の画面に表示させるステップと、
複数の升目を有する台紙部品を前記表示装置の画面に表示させるステップと、
前記升目に対して前記コンテンツ処理開始ボタン部品を貼り付けていく動作に応じて、コンテンツに関する一連の処理がある順序に沿って実行されるように、前記升目に対して貼り付けられた前記コンテンツ処理開始ボタン部品の処理順序を指定し、前記コンテンツ処理開始ボタン部品と前記升目毎の順序との関連付けを前記記憶装置に記憶させるステップと
を含むコンテンツ編集方法。
【請求項６】
前記コンテンツ処理開始ボタン部品の処理順序の指定は、
コンテンツの処理順序を指示する連結部品を前記升目に貼り付けられた前記コンテンツ処理開始ボタン部品間に貼り付けるステップを含むことを特徴とする請求項５に記載のコンテンツ編集方法。
【請求項７】
さらに、グループ化された複数の属性値を関連付けした属性値ボタン部品群を前記表示装置の画面に表示させるステップと、
該属性値ボタン部品群を操作することにより、グループ化された属性に関連する項目を一括して変換し又はグループ化された属性に関連する処理を一括して実行するステップとを含む
請求項５に記載のコンテンツ編集方法。
【請求項８】
前記コンテンツ処理開始ボタン部品の処理順序の指定は、
前記コンテンツ処理開始ボタンの属性値として実行順序を指定するステップを含むことを特徴とする請求項５に記載のコンテンツ編集方法。
【請求項９】
前記コンテンツ処理開始ボタン部品の処理順序の指定は、
複数の前記コンテンツ処理開始ボタン部品の間を、処理の実行順序に関する情報を有する連結部品により連結するステップを含むことを特徴とする請求項１から５に記載のコンテンツ編集方法。
【請求項１０】
前記連結部品は、該連結部品により連結される前記コンテンツ処理開始ボタン部品により開始されるコンテンツ間の時間間隔情報を含むことを特徴とする請求項９に記載のコンテンツ編集方法。
【請求項１１】
中央処理装置と該中央処理装置にコンテンツの編集処理を行わせるためのプログラムとコンテンツとを格納する記憶装置と、表示装置及び入力部とのインターフェイス部と、を有し、ある部品に対して別の部品を画面上において貼り付けることにより、部品同士の処理を関連付けすることができるアプリケーションシステムを用いたコンテンツ編集方法であって、
コンテンツに関する処理を開始するためのコンテンツ処理開始ボタン部品を前記表示装置の画面に表示させるステップと、
前記コンテンツ処理開始ボタン部品を貼り付けることにより該コンテンツに関する処理が実行される台紙部品であって、カレンダー情報を有する台紙部品を前記表示装置の画面に表示させるステップと、
前記入力部を用い前記表示装置の画面上において前記台紙部品に前記コンテンツ処理開始ボタン部品を貼り付けていく動作に応じて前記カレンダー情報と前記コンテンツ処理開始ボタン部品との関連付けを前記記憶装置に記憶させるステップと
を含むコンテンツ編集方法。
【請求項１２】
中央処理装置と該中央処理装置にコンテンツの編集処理を行わせるためのプログラムとコンテンツとを格納する記憶装置と、表示装置及び入力部とのインターフェイス部と、を有し、ある部品に対して別の部品を画面上において貼り付けることにより、部品同士の処理を関連付けすることができるアプリケーションシステムを用いたコンテンツ編集方法であって、
コンテンツに関する処理を開始するためのコンテンツ処理開始ボタン部品を前記表示装置の画面に表示させるステップと、
台紙部品に前記コンテンツ処理開始ボタン部品を貼り付けることにより該コンテンツに関する処理が実行される台紙部品を前記表示装置の画面に表示させるステップと、
前記入力部を用い前記表示装置の画面上において前記台紙部品に、少なくとも１の前記コンテンツ処理開始ボタン部品を貼り付けていく動作に応じて、貼り付け先の前記台紙部品の表示特性に基づいて前記コンテンツの表示特性を決定し、前記コンテンツ処理開始ボタン部品と前記表示特性との関連付けを前記記憶装置に記憶させるステップと
を含むコンテンツ編集方法。
【請求項１３】
中央処理装置と該中央処理装置にコンテンツの編集処理を行わせるためのプログラムとコンテンツとを格納する記憶装置と、表示装置及び入力部とのインターフェイス部と、を有し、ある部品に対して別の部品を画面上において貼り付けることにより、部品同士の処理を関連付けすることができるアプリケーションシステムを用いたコンテンツ編集処理をコンピュータに実行させるためのプログラムであって、
コンテンツに関する処理を開始するためのコンテンツ処理開始ボタン部品を前記表示装置の画面に表示させる手順と、
升目毎に順序が定義付けされた複数の升目を有する台紙部品を前記表示装置の画面に表示させる手順と、
前記入力部を用い前記表示装置の画面上において前記コンテンツ処理開始ボタン部品を前記升目に対して貼り付けていく動作に応じてコンテンツに関する一連の処理が前記順序に沿って実行されるように、前記コンテンツ処理開始ボタン部品と前記升目毎の順序との関連付けを前記記憶装置に記憶させる手順と
を含むプログラム。
【請求項１４】
前記升目毎に定義付けされた順序は、１つの升目を基準とした規則性を有する順序であることを特徴とする請求項１３に記載のプログラム。
【請求項１５】
同じ升目に貼り付けられた２以上の前記コンテンツ処理開始ボタン部品はグループ化されて同時に実行されることを特徴とする請求項１３又は１４に記載のプログラム。
【請求項１６】
さらに、属性値を変更又は取得する属性値ボタン部品群を前記表示装置の画面に表示させる手順と、
該属性値ボタン部品群中から複数の属性値を選択し、前記升目に貼り付けることにより関連する属性を一括変換する手順と
を含む請求項１３から１５までのいずれか１項に記載のプログラム。
【請求項１７】
中央処理装置と該中央処理装置にコンテンツの編集処理を行わせるためのプログラムとコンテンツとを格納する記憶装置と、表示装置及び入力部とのインターフェイス部と、を有し、ある部品に対して別の部品を画面上において貼り付けることにより、部品同士の処理を関連付けすることができるアプリケーションシステムを用いたコンテンツ編集処理をコンピュータに実行させるためのプログラムであって、
コンテンツに関する処理を開始するためのコンテンツ処理開始ボタン部品を前記表示装置の画面に表示させる手順と、
複数の升目を有する台紙部品を前記表示装置の画面に表示させる手順と、
前記升目に対して前記コンテンツ処理開始ボタン部品を貼り付けていく動作に応じて、コンテンツに関する一連の処理がある順序に沿って実行されるように、前記升目に対して貼り付けられた前記コンテンツ処理開始ボタン部品の処理順序を指定し、前記コンテンツ処理開始ボタン部品と前記升目毎の順序との関連付けを前記記憶装置に記憶させる手順と
を含むプログラム。
【請求項１８】
前記コンテンツ処理開始ボタン部品の処理順序を指定する手順は、
コンテンツの処理順序を指示する連結部品を前記升目に貼り付けられた前記コンテンツ処理開始ボタン部品間に貼り付ける手順を含むことを特徴とする請求項１７に記載のプログラム。
【請求項１９】
さらに、グループ化された複数の属性値を関連付けした属性値ボタン部品群を前記表示装置の画面に表示させる手順と、
該属性値ボタン部品群を操作することにより、グループ化された属性に関連する項目を一括して変換し又はグループ化された属性に関連する処理を一括して実行する手順とを含む請求項１７に記載のプログラム。
【請求項２０】
前記コンテンツ処理開始ボタン部品の処理順序を指定する手順は、前記コンテンツ処理開始ボタンの属性値として実行順序を指定する手順を含むことを特徴とする請求項１７に記載のプログラム。
【請求項２１】
前記コンテンツ処理開始ボタン部品の処理順序を指定する手順は、複数の前記コンテンツ処理開始ボタン部品の間を、処理の実行順序に関する情報を有する連結部品により連結する手順を含むことを特徴とする請求項１７に記載のプログラム。
【請求項２２】
前記連結部品は、該連結部品により連結される前記コンテンツ処理開始ボタン部品により開始されるコンテンツ間の時間間隔情報を含むことを特徴とする請求項２１に記載のプログラム。
【請求項２３】
中央処理装置と該中央処理装置にコンテンツの編集処理を行わせるためのプログラムとコンテンツとを格納する記憶装置と、表示装置及び入力部とのインターフェイス部と、を有し、ある部品に対して別の部品を画面上において貼り付けることにより、部品同士の処理を関連付けすることができるアプリケーションシステムにおけるコンテンツ編集処理をコンピュータに実行させるためのプログラムであって、
コンテンツに関する処理を開始するためのコンテンツ処理開始ボタン部品を前記表示装置の画面に表示させる手順と、
前記コンテンツ処理開始ボタン部品を貼り付けることにより該コンテンツに関する処理が実行される台紙部品であって、カレンダー情報を有する台紙部品を前記表示装置の画面に表示させる手順と、
前記入力部を用い前記表示装置の画面上において前記台紙部品に前記コンテンツ処理開始ボタン部品を貼り付けていく動作に応じて前記カレンダー情報と前記コンテンツ処理開始ボタン部品との関連付けを前記記憶装置に記憶させる手順とを含むプログラム。
【請求項２４】
中央処理装置と該中央処理装置にコンテンツの編集処理を行わせるためのプログラムとコンテンツとを格納する記憶装置と、表示装置及び入力部とのインターフェイス部と、を有し、ある部品に対して別の部品を画面上において貼り付けることにより、部品同士の処理を関連付けすることができるアプリケーションシステムにおけるコンテンツ編集処理をコンピュータに実行させるためのプログラムであって、
コンテンツに関する処理を開始するためのコンテンツ処理開始ボタン部品を前記表示装置の画面に表示させる手順と、
台紙部品に前記コンテンツ処理開始ボタン部品を貼り付けることにより該コンテンツに関する処理が実行される台紙部品を前記表示装置の画面に表示させる手順と、
前記入力部を用い前記表示装置の画面上において前記台紙部品に、少なくとも１の前記コンテンツ処理開始ボタン部品を貼り付けていく動作に応じて、貼り付け先の前記台紙部品の表示特性に基づいて前記コンテンツの表示特性を決定し、前記コンテンツ処理開始ボタン部品と前記表示特性との関連付けを前記記憶装置に記憶させる手順と
を含むプログラム。
【請求項２５】
中央処理装置と該中央処理装置にコンテンツの編集処理を行わせるためのプログラムとコンテンツとを格納する記憶装置と、表示装置及び入力部とのインターフェイス部と、を有し、ある部品に対して別の部品を画面上で貼り付けることにより、部品同士の処理を関連付け可能なコンテンツ編集システムであって、
コンテンツに関する処理を開始するためのコンテンツ処理開始ボタン部品をその処理内容とともに記憶する第１記憶部と、
升目毎に順序が定義付けされた複数の升目を有する台紙部品に貼り付けられた前記コンテンツ処理開始ボタン部品を貼り付け先の升目と対応付けて記憶する第２記憶部と、を有し、
前記中央処理装置は、前記台紙部品に貼り付けられた前記コンテンツ処理開始ボタン部品に対する外部操作を検知して、前記第１記憶部に記憶されているコンテンツ処理を前記第２記憶部に記憶されている升目に定義付けされた順序に基づいて実行するコンテンツ処理を行うことを特徴とするコンテンツ編集システム。
【請求項２６】
前記コンテンツ処理は、同じ升目に貼り付けられた複数の前記コンテンツ処理開始ボタン部品をグループ化して、グループ化されたコンテンツ処理開始ボタン部品に関連する処理を同時に実行することを特徴とする請求項２５に記載のコンテンツ編集システム。
【請求項２７】
さらに、コンテンツの属性値を変更又は取得する属性値ボタン部品群を記憶する第３の記憶部と、
該属性値ボタン部品群中から複数の属性値を選択し、前記台紙部品に貼り付ける操作に応じて関連する属性を一括変換する属性一括変換部と
を含む請求項２５に記載のコンテンツ編集システム。
【請求項２８】
中央処理装置と該中央処理装置にコンテンツの編集処理を行わせるためのプログラムとコンテンツとを格納する記憶装置と、表示装置及び入力部とのインターフェイス部と、を有し、ある部品に対して別の部品を画面上で貼り付けることにより、部品同士の処理を関連付け可能なコンテンツ編集システムであって、
コンテンツに関する処理を開始するためのコンテンツ処理開始ボタン部品をその処理内容とともに記憶する第１記憶部と、
複数の升目を有する台紙部品上の升目に貼り付けられた前記コンテンツ処理開始ボタン部品を記憶する第２記憶部と、
前記升目に貼り付けられた前記コンテンツ処理開始ボタン部品と、該コンテンツ処理開始ボタン部品間の実行順序を規定するために貼り付けられコンテンツ処理の実行順序に関する情報を有する連結部品を記憶する第３記憶部と、を有し、
前記中央処理装置は、外部操作を検知して、前記第１記憶部に記憶されているコンテンツ処理開始ボタン部品の処理内容に基づいて、前記第２記憶部に記憶されているコンテンツ処理開始ボタンの処理を前記第３記憶部に記憶されている前記連結部品が指定するコンテンツの実行順序に沿って実行するコンテンツ処理を行うことを特徴とするコンテンツ編集システム。
【請求項２９】
さらに、グループ化された複数の属性値を関連付けした属性値ボタン部品群を記憶する第４記憶部を有し、
前記コンテンツ処理は、前記属性値ボタン部品群を操作することにより、グループ化された属性に関連する項目を一括して変換し又はグループ化された属性に関連する処理を一括して実行する一括変換処理を行うことを特徴とする請求項２８に記載のコンテンツ編集システム。
【請求項３０】
中央処理装置と該中央処理装置にコンテンツの編集処理を行わせるためのプログラムとコンテンツとを格納する記憶装置と、表示装置及び入力部とのインターフェイス部と、を有し、ある部品に対して別の部品を画面上で貼り付けることにより、部品同士の処理を関連付け可能なコンテンツ編集システムであって、
コンテンツに関する処理を開始するためのコンテンツ処理開始ボタン部品をその処理内容とともに記憶する第１記憶部と、
台紙部品に貼り付けられた前記コンテンツ処理開始ボタン部品を、該台紙部品が有するカレンダー情報と対応付けて記憶する第２記憶部と、を有し、
前記中央処理装置は、外部操作に応じて前記第１記憶部に記憶されたコンテンツの処理を前記第２記憶部に記憶されたカレンダー情報に基づいて実行する処理を行うことを特徴とするコンテンツ編集システム。
【請求項３１】
中央処理装置と該中央処理装置にコンテンツの編集処理を行わせるためのプログラムとコンテンツとを格納する記憶装置と、表示装置及び入力部とのインターフェイス部と、を有し、ある部品に対して別の部品を画面上で貼り付けることにより、部品同士の処理を関連付け可能なコンテンツ編集システムであって、
コンテンツに関する処理を開始するためのコンテンツ処理開始ボタン部品をその処理内容とともに記憶する第１記憶部と、
台紙部品に貼り付けられた前記コンテンツ処理開始ボタン部品を、貼り付け先の前記台紙部品の表示特性と対応付けて記憶する第２記憶部と、を有し、
前記中央処理装置は、外部操作に応じて前記第１記憶部に記憶されたコンテンツの処理を前記第２記憶部に記憶された前記表示特性に基づいて前記表示装置に表示させる処理を行うことを特徴とするコンテンツ編集システム。